(57)【要約】【課題】利用者が１年若しくはそれ以上の長い時間をかけても最終的に実現したいと願っている大きな目標に対し、それを実現するために必要とされる具体的な行動の指針を示した項目を設定し、その達成率を逐次管理することが可能なカレンダーを提供する。【解決手段】本考案のカレンダー１は平面視矩形状をなし、西暦や元号などが記載された表紙と、一月分の暦が記載された１２枚の暦用紙２ｂが、上端に取り付けられた合成樹脂製の綴じ具３を用いて綴じ合わされた構造となっている。  １月の暦が記載された暦用紙２ｂには、上部中央に元号と当該月を示す数字が記載され、その左右には「夢」を記入するための予定記入欄５ａと、その「夢」の実現に向けて達成すべき「目標」を記入するための予定記入欄５ｂと、複数の日付欄７と週別集計欄６ａによって構成される日付表示領域８と、月別集計欄６ｂが設けられている。【選択図】図２
0003204185.tif 000002
【実用新案登録請求の範囲】
【請求項１】
平面視矩形状をなし、一枚の表紙と、複数枚の暦用紙と、この暦用紙と前記表紙の上端に取り付けられる綴じ具と、を備えたカレンダーにおいて、
最終目標を記入するための第１の予定記入欄と、
前記最終目標のブレークダウンにより作成した小目標や日々の行動指針を示した項目を記入するための第２の予定記入欄が前記表紙と前記暦用紙の少なくともいずれか一方に設けられるとともに、
所定の月における初日から末日までの各日付が曜日と対応した状態で記載され、週単位で改行されるように配列された複数の日付欄と、
前記第１の予定記入欄に記入された前記項目が実施されたか否かの実績を記入するために複数の前記日付欄にそれぞれ設けられる実績記入欄と、
この実績記入欄に記入された前記実績に基づいて前記項目の実施回数が週単位で集計された第１の集計結果を記入するための週別集計欄と、
この第１の集計結果に基づいて前記項目の実施回数が月単位で集計された第２の集計結果を記入するための月別集計欄が前記暦用紙に設けられたことを特徴とするカレンダー。
【請求項２】
前記表紙と前記暦用紙に対し、複数の貫通孔が連通するとともに、それらの上部の一辺に沿うように一列に設けられ、
前記綴じ具は、
所定の間隔を空けて同心状に配置される複数のリング部材と、
これら複数のリング部材を一体的に連結する棒状の連結部材と、を備え、
前記リング部材は、
ヒンジ部を介して開閉自在に基端が連結されるとともに、前記貫通孔に対してそれぞれ挿通可能に形成される一対の半円弧状分割片からなり、前記連結部材が前記ヒンジ部に取り付けられたことを特徴とする請求項１に記載のカレンダー。
【請求項３】
前記実績記入欄内に貼り付け可能な大きさに形成され、前記項目が実施できた場合と実施できなかった場合をそれぞれ示す２種類のシールを備えたことを特徴とする請求項１又は請求項２に記載のカレンダー。
【考案の詳細な説明】
【技術分野】
【０００１】
本考案は、日付の他、曜日や祝祭日が月単位で記載されたカレンダーに係り、特に、壁等に掛けられた状態で使用されるカレンダーに関する。
【背景技術】
【０００２】
カレンダーは、日付や曜日等の確認ができるだけでなく、余白部分にイベント等を記入すれば、備忘録にもなる。また、ある目標を立て、それを達成するための予定表として用いることも可能である。しかしながら、壁等に掛けられた状態で使用されるカレンダーは、余白部分が少ないことが多く、従来、予定表として十分に活用することができないという課題があった。
【０００３】
このような課題に対処するものとして、例えば、特許文献１には「目的チェック予定表」という名称で、行動等の予定を管理する際に用いられる予定表に関する発明が開示されている。
この発明は、日付単位で区画された部分に日付欄と優先順位番号表記部とチェック欄と予定記載部とメモ欄が設けられたことを特徴としている。
このような構造によれば、予定の記入が容易であり、一目で予定を把握できるとともに、予定を忘れ難くなるため、目的を達成し易くなるという効果が期待できる。
【０００４】
次に、特許文献２には、「カレンダー」という名称で、学習事項の把握と習得を容易にすることを目的とする発明が開示されている。
この発明は、学習進展に応じた所要の学習事項が色分けされた状態で複数のグループに区分けされ、それらが日付ごとに表示されたことを特徴としている。
このような構造によれば、学習者が自身の学習レベルにあった知識情報を容易に選択して習得することができる。
【０００５】
さらに、特許文献３には、「チェックカレンダー」という名称で、目標とする課題を継続させることを目的としたカレンダーに関する考案が開示されている。
この考案は、記入した目標とする課題が実行できた場合に、日付の周りを囲むように印刷された丸印の中にシールを貼ることにより達成度をチェックできるようにしたことを特徴としている。
このような構成によれば、課題の確認が容易であることに加え、利用者にやる気を起こさせるという効果も期待できる。
【先行技術文献】
【特許文献】
【０００６】
【特許文献１】特開２００７−１１８２１７号公報
【特許文献２】特開２００３−２１１８７０号公報
【特許文献３】登録実用新案第３０１４５７２号公報
【考案の概要】
【考案が解決しようとする課題】
【０００７】
上述の従来技術である特許文献１に開示された発明においては、日付と予定との対応が分かり易いため、所定の作業をいつまで行えば良いかの確認を行ったり、所定の日に完了した作業をチェックしたりするなど、日記のような使い方をすることはできるものの、ある大きな目標を達成するために、それよりも短い期間で確実にこなしていくべき事柄をリストアップして、それらの実施状況を管理する目的で使用することはできないという課題があった。
【０００８】
また、特許文献２に開示された発明においては、英単語や英熟語等を日付の下のスペースに記入し、単語帳のような使い方をすることで、学習者が自身の学習レベルにあった知識を効率よく習得することができるものの、ある大きな目標のブレークダウンにより小目標を作成し、任意の時点において、その小目標の達成率を確認するという用途には使用できないという課題があった。
【０００９】
さらに、特許文献３に開示された考案においては、課題が実行できた日を一目で確認できるものの、課題が３か月単位で設定される形式となっており、その課題の達成をより確実なものとするために、それよりも短い期間で実施可能な小目標を設定し、その達成率を逐次確認するという使い方はできないという課題があった。
【００１０】
本考案は、このような従来の事情に対処してなされたものであり、利用者が１年若しくはそれ以上の長い時間をかけても最終的に実現したいと願っている大きな目標に対し、それを実現するために必要とされる具体的な行動の指針を示した項目を設定し、その達成率を逐次管理することが可能なカレンダーを提供することを目的とする。
【課題を解決するための手段】
【００１１】
上記目的を達成するため、第１の考案であるカレンダーは、平面視矩形状をなし、一枚の表紙と、複数枚の暦用紙と、この暦用紙と表紙の上端に取り付けられる綴じ具と、を備えたカレンダーにおいて、最終目標を記入するための第１の予定記入欄と、最終目標のブレークダウンにより作成した小目標や日々の行動指針を示した項目を記入するための第２の予定記入欄が表紙と暦用紙の少なくともいずれか一方に設けられるとともに、所定の月における初日から末日までの各日付が曜日と対応した状態で記載され、週単位で改行されるように配列された複数の日付欄と、第１の予定記入欄に記入された項目が実施されたか否かの実績を記入するために複数の日付欄にそれぞれ設けられる実績記入欄と、この実績記入欄に記入された実績に基づいて上記項目の実施回数が週単位で集計された第１の集計結果を記入するための週別集計欄と、この第１の集計結果に基づいて上記項目の実施回数が月単位で集計された第２の集計結果を記入するための月別集計欄が暦用紙に設けられたことを特徴とするものである。
【００１２】
上記構造のカレンダーにおいては、利用者が１年若しくはそれ以上の長い期間をかけても実現したいと願っている最終目標を第１の予定記入欄に記入し、その最終目標のブレークダウンにより作成された小目標若しくは行動指針を示す項目を第２の予定記入欄に記入することによって、毎日実施すべき行動の具体的な内容とその意味が利用者にとって明確なものになるという作用を有する。
【００１３】
また、第１の予定記入欄が第２の予定記入欄と実績記入欄とともに同じ一枚の暦用紙に設けられている場合、利用者が日々の実績を記入する際に、最終目標がその視野に入り易い。したがって、日々の実績を日付欄の実績記入欄に記入する度ごとに、最終目標を目にした利用者に対し、第２の予定記入欄に記入された項目を実施する理由が強く意識付けされるという作用を有する。
そして、第２の予定記入欄に記入された項目の実施回数が週単位及び月単位でそれぞれ集計された第１の集計結果同士及び第２の集計結果同士の比較が容易であるという作用を有する。
【００１４】
また、第２の考案は、第１の考案において、表紙と暦用紙に対し、複数の貫通孔が連通するとともに、それらの上部の一辺に沿うように一列に設けられ、綴じ具は、所定の間隔を空けて同心状に配置される複数のリング部材と、これら複数のリング部材を一体的に連結する棒状の連結部材と、を備え、リング部材は、ヒンジ部を介して開閉自在に基端が連結されるとともに、貫通孔に対してそれぞれ挿通可能に形成される一対の半円弧状分割片からなり、連結部材がヒンジ部に取り付けられたことを特徴とするものである。
【００１５】
このような構造のカレンダーにおいては、第１の考案の作用に加えて、表紙と暦用紙に対して綴じ具が着脱可能であり、しかも、その着脱作業が容易であるという作用を有する。
【００１６】
第３の考案は、第１の考案又は第２の考案において、実績記入欄内に貼り付け可能な大きさに形成され、上記項目が実施できた場合と実施できなかった場合をそれぞれ示す２種類のシールを備えたことを特徴とするものである。
実績記入欄には、第２の予定記入欄に記入された各項目を実施できた場合には「○」、実施できなかった場合には「×」というような記号を直接、書き込むこともできるが、上記構造のカレンダーにおいては、第１の考案又は第２の考案の作用に加えて、筆記具等を用いて実績記入欄へ実績を書き込む場合に比べて、実績を記入する作業が単調なものになり難いという作用を有する。
【考案の効果】
【００１７】
以上説明したように、第１の考案によれば、毎日実施すべき行動の具体的な内容とその意味を明確に意識することで、利用者は最終目標を実現させたいという意欲が高められるという効果を奏する。また、利用者は第２の予定記入欄に記入された項目が実施できたか否かを日単位や週単位あるいは月単位で逐次管理することが可能である。さらに、利用者は、その達成率の推移を分析することで、自己の行動パターンを把握し、その結果を踏まえて上記項目の見直しを図ることができる。
【００１８】
第２の考案によれば、第１の考案の効果に加えて、綴じ具を取り外すことにより、暦用紙の交換や順序の変更が容易になるため、暦用紙の一枚目に記載される月を自由に設定できるという効果を奏する。すなわち、本考案のカレンダーは、１月に限らず、利用者が実現したい最終目標を思い立った時点からすぐに使い始めることができる。したがって、所定の目標を達成するためのツールとして最適である。
【００１９】
第３の考案によれば、第１の考案又は第２の考案の効果に加えて、実績記入欄に日々の実績を記入する作業を楽しみながら長く続けることができるという効果を奏する。
【図面の簡単な説明】
【００２０】
【図１】本考案の実施の形態に係るカレンダーの外観図である。
【図２】本考案の実施の形態に係るカレンダーの外観図である。
【図３】（ａ）及び（ｂ）は図２に示したカレンダーの部分拡大図である。
【図４】（ａ）及び（ｂ）は図１又は図２に示した綴じ具の側面図であり、（ｃ）は同図（ａ）におけるＡ−Ａ線矢視断面図である。
【考案を実施するための形態】
【００２１】
本考案の実施の形態に係るカレンダーについて図１〜図４を参照しながら具体的に説明する。なお、以下の説明では、一枚の用紙に一か月分の暦が記載される、いわゆる月めくりカレンダーを例に挙げているが、本考案のカレンダーは、このような構成に限定されるものではなく、例えば、二か月分や三か月分というように複数か月の暦が各用紙に記載されたものであっても良い。
【実施例】
【００２２】
図１及び図２は本考案のカレンダーの外観図の一例であり、図１は表紙を示し、図２は図１において表紙をめくった状態を示している。また、図３（ａ）及び図３（ｂ）はそれぞれ図２においてカレンダーの上部と下部をそれぞれ部分的に拡大して示したものである。さらに、図４（ａ）及び図４（ｂ）はそれぞれ綴じ具が閉じられた状態と開かれた状態を示しており、図４（ｃ）は図４（ａ）におけるＡ−Ａ線矢視断面図である。
なお、図２及び図３には、１月の暦が記載された暦用紙のみを示しているが、２〜１２月の暦についても１月の暦と同様の形式で、他の暦用紙に記載されている。また、本実施例では、暦用紙の枚数を１２枚としているが、暦用紙の枚数は１２枚に限定されるものではなく、適宜変更可能である。例えば、一枚の暦用紙に二か月分や三か月分の暦を記載し、その枚数をそれぞれ６枚及び４枚としても良い。
【００２３】
図１乃至図３に示すように、本考案のカレンダー１は平面視矩形状をなし、西暦や元号などが記載された表紙２ａと、一月分の暦が記載された１２枚の暦用紙２ｂが、上端に取り付けられた合成樹脂製の綴じ具３を用いて綴じ合わされた構造となっている。
図１に示すように、表紙２ａには、「夢」を記入するための予定記入欄４ａと、その「夢」の実現に向けて達成すべき「目標」を記入するための予定記入欄４ｂが設けられている。ただし、ここでいう「夢」とは、カレンダー１の利用者が１年若しくはそれ以上の長い期間をかけても実現したいと願っている最終目標を意味している。また、予定記入欄４ｂに記入される「目標」とは、予定記入欄４ａに記入された「夢」（＝最終目標）のブレークダウンにより作成された小目標若しくは行動指針を示す項目に相当する。
なお、本実施例では、予定記入欄４ｂに対し、「目標」を５つまで記入できるようになっているが、予定記入欄４ｂに記入できる「目標」の数は、これに限定されるものではなく、適宜変更可能である。
【００２４】
図２に示すように、１月の暦が記載された暦用紙２ｂには、上部中央に元号と当該月を示す数字が記載され、その左右には表紙２ａの予定記入欄４ａ，４ｂにそれぞれ対応する予定記入欄５ａ，５ｂが設けられている。また、暦用紙２ｂには、複数の日付欄７と週別集計欄６ａによって構成される日付表示領域８が記入欄５ａ，５ｂの下に設けられ、日付表示領域８の下に月別集計欄６ｂが設けられている。
【００２５】
日付欄７には、その月の初日から末日までの各日付が曜日と対応した状態で記入されている。そして、このような日付欄７が、日付表示領域８の各行に対し、例えば、日曜から土曜までというように週単位で設けられており、週別集計欄６ａは各行の一番右側に設けられている。
なお、日付表示領域８の各行は日曜の日付欄７に限らず、それ以外の曜日の日付欄７から始まるものであっても良い。
【００２６】
図３（ａ）及び図３（ｂ）に示すように、日付欄７には、予定記入欄５ｂに記入した目標ごとに実績を記入するための実績記入欄９が各日付の下に設けられている。なお、実績記入欄９には、各目標を実施できた場合には「○」、実施できなかった場合には「×」というような記号を直接、書き込んでも良いし、実施できた場合には「天使」のキャラクタが印刷されたシールを貼り付け、実施できなかった場合には「悪魔」のキャラクタが印刷されたシールを貼り付けるようにしても良い。
【００２７】
なお、筆記具を用いて実績記入欄９へ単に実績を書き込むだけの場合、その作業は極めて単調なものになり易い。これに対し、シールを貼り付ける作業は、比較的単調なものになり難い。特に、上記シールに印刷されたキャラクタが愛らしいものであれば、カレンダー１の利用者は、そのキャラクタに親しみを覚え、実績記入欄９への当該シールの貼り付け作業が逆に楽しいものと感じられるようになり、当該作業を継続することが困難でなくなる可能性が高い。すなわち、本考案のカレンダー１によれば、実績記入欄９に日々の実績を記入する作業を楽しみながら長く続けることが可能である。
【００２８】
週別集計欄６ａには、各目標を実施できた場合を「勝ち」、実施できなかった場合を「敗け」として、週単位で集計された「勝ち数」と「敗け数」が記入され、月別集計欄６ｂには、週別集計欄６ａに記入された「勝ち数」と「敗け数」がさらに月単位で集計されて記入される。
また、表紙２ａと暦用紙２ｂには、それらを連通するように複数の貫通孔１０が上部の一辺に沿って一列に設けられており、この複数の貫通孔１０には、所定の間隔を空けて同心状に配置された複数のリング部材１１と、このリング部材１１を一体的に連結する棒状の連結部材１２と、この連結部材１２と平行に複数のリング部材１１の内部に挿通される吊下げ部材１３からなる綴じ具３が取り付けられている（図３（ａ）参照）。
【００２９】
図４（ａ）乃至図４（ｃ）に示すように、リング部材１１はヒンジ部１１ａを介して開閉自在に基端が連結される一対の半円弧状分割片１１ｂ，１１ｂからなり、ヒンジ部１１ａに取り付けられた連結部材１２によって他のリング部材１１と互いに連結されている。また、一対の半円弧状分割片１１ｂ，１１ｂは、表紙２ａと暦用紙２ｂに設けられた貫通孔１０に対してそれぞれ挿通可能に形成され、一方の先端に設けられた凹部（図示せず）に対して嵌合可能に凸部１１ｃが他方の先端に設けられている。
すなわち、リング部材１１を閉じる方向へ半円弧状分割片１１ｂ，１１ｂを回動し、凹部に凸部１１ｃを嵌合させると、リング部材１１は閉じた状態が維持される。一方、その状態で半円弧状分割片１１ｂ，１１ｂに対し、互いの先端同士を引き離す方向へ所定の力を加えると、凹部から凸部１１ｃが外れて、半円弧状分割片１１ｂ，１１ｂは回動可能となる。
【００３０】
このような構造のカレンダー１においては、利用者が１年若しくはそれ以上の長い期間をかけても実現したいと願っている最終目標を予定記入欄４ａ，５ａに記入し、その最終目標のブレークダウンにより作成した小目標若しくは行動指針を示す項目を予定記入欄４ｂ，５ｂに記入することによって、利用者が毎日実施すべき行動の具体的な内容とその意味が明確になる。
また、予定記入欄５ａが予定記入欄５ｂ及び実績記入欄９とともに同じ暦用紙２ａに設けられていることから、利用者が日々の実績を実績記入欄９に記入する際に、予定記入欄５ａに記入された最終目標がその視野に入り易い。したがって、利用者は実績記入欄９へ実績を記入する作業を行う度に、最終目標を目にすることになる。その結果、予定記入欄５ｂに記入された項目を実施する理由が利用者に強く意識付けされる。
【００３１】
このように、カレンダー１の利用者は、毎日実施すべき行動の具体的な内容とその意味を明確に意識することで、最終目標を実現させたいという意欲が高められる。
また、カレンダー１では、予定記入欄５ｂに記入された項目の実施回数が週単位及び月単位でそれぞれ集計された結果同士の比較が容易となっている。したがって、カレンダー１の利用者は、予定記入欄５ｂに記入された項目が実施できたか否かを日単位や週単位あるいは月単位で逐次管理し、その達成率の推移を分析することで自己の行動パターンの把握が容易となる。そして、その結果に基づいて上記項目の見直しを図ることができる。
【００３２】
さらに、カレンダー１では、表紙２ａと暦用紙２ｂに対し、綴じ具３が容易に着脱可能となっているため、綴じ具３を取り外すだけで、簡単に暦用紙２ｂを交換したり、その順序を変更したりすることができる。すなわち、カレンダー１は、暦用紙２ｂの一枚目に記載される月を自由に設定することが可能であり、１月に限らず、実現したい最終目標を思い立った時点からすぐに使い始めることができるため、所定の目標を達成するためのツールとして最適である。
【００３３】
なお、暦用紙２ｂの予定記入欄５ｂに記入される目標は、表紙２ａの予定記入欄４ｂに記入されるものと必ずしも同一でなくとも良い。例えば、予定記入欄５ｂには予定記入欄４ｂに記入された目標をさらにブレークダウンしたものを記入しても良い。また、予定記入欄５ｂに記入される目標は、暦用紙２ｂごと、すなわち、月単位で変更しても良いし、週単位で変更しても良い。
また、予定記入欄４ａ，４ｂと予定記入欄５ａ，５ｂのうち少なくともいずれか一方が設けられた構造とすることもできる。ただし、カレンダー１の利用者が実績記入欄９に日々の実績を記入する際に、その視野に入り易いように、少なくとも予定記入欄５ａ，５ｂだけは設ける構造とすることが望ましい。
【産業上の利用可能性】
【００３４】
請求項１乃至請求項３に記載された考案は、所定の目標を達成するためのツールとして利用することができる。
【符号の説明】
【００３５】
１…カレンダー  ２ａ…表紙  ２ｂ…暦用紙  ３…綴じ具  ４ａ，４ｂ…予定記入欄  ５ａ，５ｂ…予定記入欄  ６ａ…週別集計欄  ６ｂ…月別集計欄  ７…日付欄  ８…日付表示領域  ９…実績記入欄  １０…貫通孔  １１…リング部材  １１ａ…ヒンジ部  １１ｂ…半円弧状分割片  １１ｃ…凸部  １２…連結部材  １３…吊下げ部材  
【図１】
0003204185.tif 000003
【図２】
0003204185.tif 000004
【図３】
0003204185.tif 000005
【図４】
0003204185.tif 000006